(57)【要約】【課題】ケーブル収納空間内に収納するケーブル類が長尺体であっても金型サイズを変更せず、組み立て負担が軽減するように簡便に押し出し成形加工することができ、直線移動時と屈曲移動時にケーブル収納空間の形態安定性を十分に確保して円滑な直線移動と屈曲移動を達成できる折り曲げ式ケーブル類保護案内装置を提供すること。【解決手段】押し出し成形加工された合成樹脂製テープ１００のテープ長手方向に延在する左右一対の折り曲げ部分１１０、１１０を介して折り曲げられた矩形断面状のケーブル収納空間Ｒ内にケーブル類Ｃがテープ長手方向に沿って収納されて直線移動と屈曲移動とを繰り返すように構成した折り曲げ式ケーブル類保護案内装置。【選択図】図１
2008075726.tif 000002
【特許請求の範囲】
【請求項１】
押し出し成形加工された合成樹脂製テープのテープ長手方向に延在する左右一対の折り曲げ部分を介して折り曲げられた矩形断面状のケーブル収納空間内にケーブル類がテープ長手方向に沿って収納されて直線移動と屈曲移動とを繰り返すように構成した折り曲げ式ケーブル類保護案内装置であって、
前記合成樹脂製テープが、直線移動時にテープ長手方向で隣接係合するとともに屈曲移動時にテープ長手方向の所定ピッチで相互に分離拡開する外周壁形成部分と、該外周壁形成部分の両側に前記折り曲げ部分を介して配置されて直線移動時にテープ長手方向で隣接係合するとともに屈曲移動時にテープ長手方向の所定ピッチで相互に分離拡開する左右一対の側壁形成部分と、該左右一対の側壁形成部分に垂設状態でそれぞれ固定配置されて組み立て時にテープ長手方向に沿って相互に重なり合って前記外周壁形成部分にケーブル収納空間を介して対向配置される左右一対の内周壁形成部分とを有していることを特徴とする折り曲げ式ケーブル類保護案内装置。
【請求項２】
前記合成樹脂製テープの外周壁形成部分と左右一対の側壁形成部分とを屈曲移動時にテープ長手方向の所定ピッチで相互に分離拡開する分割スリットが、前記折り曲げ部分を前記所定ピッチで横切るとともに左右一対の内周壁形成部分を残して分割するようにパンチング加工により配置されていることを特徴とする請求項１記載の折り曲げ式ケーブル類保護案内装置。
【請求項３】
前記外周壁形成部分の分割スリットを介した前後位置に、直線移動時の横ズレを規制する凹凸係合機構がパンチング加工により設けられていることを特徴とする請求項２記載の折り曲げ式ケーブル類保護案内装置。
【請求項４】
前記折り曲げ部分が、折り曲げる内側にテープ長手方向に沿って開口する円弧状溝、あるいは、Ｖ字状溝を備えていることを特徴とする請求項１乃至請求項３のいずれか記載の折り曲げ式ケーブル類保護案内装置。
【請求項５】
前記外周壁形成部分と側壁形成部分と内周壁形成部分とがポリプロピレンから成形されているとともに、前記折り曲げ部分がポリエステル系またはオレフィン系の熱可塑性エラストマーから成形されていることを特徴とする請求項１乃至請求項４のいずれか記載の折り曲げ式ケーブル類保護案内装置。
【発明の詳細な説明】
【技術分野】
【０００１】
本発明は、ケーブル類保護案内装置に係り、更に詳しくは、例えば、半導体製造装置、創薬試験装置、車両用ドア開閉装置、車両用スライドシート、車両用電動サンルーフなどの可動部材に電力や圧縮空気のエネルギーを供給するケーブルやホース等の比較的軽量且つ小径のケーブル類を収容すると共に、可動部材の移動中においてもケーブル類を安全にかつ確実に案内保護するのに好適なケーブル類保護案内装置に関するものである。
【背景技術】
【０００２】
従来のケーブル類保護案内装置として、離間対向する同一形状の一対のリンクプレートの上縁部間及び下縁部間に、結合部材として用いられたフラップ及び底板により各々連結されているケーブル・ホースの保護案内チェーン（例えば、特許文献１参照）が知られている。
また、合成物質から大体において平らな扁平な構造に一片で射出成形又は注型され、かつ曲げ可能なブリッジによって互いに結合されたセグメントから構成されている折畳み可能な保護要素（例えば、特許文献２参照）が知られている。
【特許文献１】特開平１０−４７４４１号公報（第１頁、図９）
【特許文献２】特表２００１−５１４７２５号公報（第１頁、図１−図３）
【発明の開示】
【発明が解決しようとする課題】
【０００３】
ところが、特許文献１に記載された保護案内チェーンでは、リンクプレートとその結合部材であるフラップ及び底板をケーブル長手方向に確実に多数連結しなければならず、複雑化した組み付け構造が厄介であり、しかも、その多大な製造負担を回避することもできないという問題もあった。
また、特許文献２に記載された折畳み可能な保護要素では、一片で射出成形又は注型されるため、幅の大きなサイズや長尺のものを製造しようとすると、金型サイズの物理的な制限や金型の温度制御などの製造条件や金型コストの制限もあり、長尺体のものが簡便に製造できないという金型上の厄介な問題があり、また、結合するためのセグメントを１個ずつ組み付けなければならないという組み立て製造上の厄介な問題があった。
【０００４】
そこで、本発明は、上述したような課題を解決するものであって、すなわち、本発明の目的は、ケーブル収納空間内に収納しようとするケーブル類が長尺体であっても金型サイズを変更せず、組み立て負担が軽減するように簡便に押し出し成形加工することができ、しかも、直線移動時と屈曲移動時のいずれにおいてケーブル収納空間の形態安定性を十分に確保して円滑な直線移動と屈曲移動を達成できる折り曲げ式ケーブル類保護案内装置を提供することである。
【課題を解決するための手段】
【０００５】
まず、本請求項１に係る発明は、押し出し成形加工された合成樹脂製テープのテープ長手方向に延在する左右一対の折り曲げ部分を介して折り曲げられた矩形断面状のケーブル収納空間内にケーブル類がテープ長手方向に沿って収納されて直線移動と屈曲移動とを繰り返すように構成した折り曲げ式ケーブル類保護案内装置であって、前記合成樹脂製テープが、直線移動時にテープ長手方向で隣接係合するとともに屈曲移動時にテープ長手方向の所定ピッチで相互に分離拡開する外周壁形成部分と、該外周壁形成部分の両側に前記折り曲げ部分を介して配置されて直線移動時にテープ長手方向で隣接係合するとともに屈曲移動時にテープ長手方向の所定ピッチで相互に分離拡開する左右一対の側壁形成部分と、該左右一対の側壁形成部分に垂設状態でそれぞれ固定配置されて組み立て時にテープ長手方向に沿って相互に重なり合って前記外周壁形成部分にケーブル収納空間を介して対向配置される左右一対の内周壁形成部分とを有していることによって、上記目的を達成するものである。
【０００６】
そして、本請求項２に係る発明の折り曲げ式ケーブル類保護案内装置は、請求項１記載の構成に加えて、前記合成樹脂製テープの外周壁形成部分と左右一対の側壁形成部分とを屈曲移動時にテープ長手方向の所定ピッチで相互に分離拡開する分割スリットが、前記折り曲げ部分を前記所定ピッチで横切るとともに左右一対の内周壁形成部分を残して分割するようにパンチング加工により配置されていることによって、上記目的をさらに達成するものである。
【０００７】
本請求項３に係る発明の折り曲げ式ケーブル類保護案内装置は、請求項２記載の構成に加えて、前記外周壁形成部分の分割スリットを介した前後位置に、直線移動時の横ズレを規制する凹凸係合機構がパンチング加工により設けられていることによって、上記目的をさらに達成するものである。
【０００８】
本請求項４に係る発明の折り曲げ式ケーブル類保護案内装置は、請求項１乃至請求項３のいずれか記載の構成に加えて、前記折り曲げ部分が、折り曲げる内側にテープ長手方向に沿って開口する円弧状溝、あるいは、Ｖ字状溝を備えていることによって、上記目的をさらに達成するものである。
【０００９】
本請求項５に係る発明の折り曲げ式ケーブル類保護案内装置は、請求項１乃至請求項４のいずれか記載の構成に加えて、前記外周壁形成部分と側壁形成部分と内周壁形成部分とがポリプロピレンから成形されているとともに、前記折り曲げ部分がポリエステル系またはオレフィン系の熱可塑性エラストマーから成形されていることによって、上記目的をさらに達成するものである。
【発明の効果】
【００１０】
まず、本請求項１に係る発明によれば、押し出し成形加工された合成樹脂製テープのテープ長手方向に延在する左右一対の折り曲げ部分を介して折り曲げられた矩形断面状のケーブル収納空間内にケーブル類がテープ長手方向に沿って収納されて直線移動と屈曲移動とを繰り返すように構成したことにより、ケーブル収納空間内に収納しようとするケーブル類が長尺体であっても、合成樹脂製テープをこの長尺体の長さに応じて連続する一体物として裁断加工すれば、収納しようとするケーブル類に見合う最適長さのケーブル収納空間を簡便に確保できるため、従来の保護案内チェーンのような多数のリンクプレートを収納しようとするケーブル類に見合う長さに連結するための多大な組み立て製造負担を回避できる。
【００１１】
そして、合成樹脂製テープがケーブル収納空間内に収納しようとするケーブル類の長さに無関係に連続して押し出し成形加工されるため、従来の折畳み可能な保護要素のようなケーブル収納空間内に収納しようとするケーブル類の長さに応じた射出成形又は注型加工における様々な金型サイズを必要とすることなく、長尺体のものであっても押し出し成形加工の金型サイズを変更せずに簡便に製造できる。
【００１２】
また、合成樹脂製テープが、折り曲げた後の反発力を小さくする折り曲げ部分を介して折り曲げられるため、矩形断面状のケーブル収納空間をテープ長手方向に沿って所定寸法どおりに均一かつ確実に組み立てることができる。
【００１３】
そして、合成樹脂製テープが、直線移動時にテープ長手方向で隣接係合するとともに屈曲移動時にテープ長手方向の所定ピッチで相互に分離拡開する外周壁形成部分と左右一対の側壁形成部分と有していることにより、屈曲移動時に外周壁形成部分と左右一対の側壁形成部分とが屈曲移動半径に応じて分離拡開するため、円滑な屈曲移動を達成できる。
【００１４】
合成樹脂製テープが、外周壁形成部分と左右一対の側壁形成部分とこれらの側壁形成部分に垂設状態でそれぞれ固定配置されて組み立て時にテープ長手方向に沿って相互に重なり合って外周壁形成部分にケーブル収納空間を介して対向配置される左右一対の内周壁形成部分とを有していることにより、直線移動時と屈曲移動時のいずれであっても、合成樹脂製テープが折り曲げ部分を介して折り曲げられた矩形断面状のケーブル収納空間を無理なく維持するため、直線移動と屈曲移動とを長期にわたって円滑に繰り返すことができ、また、左右一対の内周壁形成部分と側壁形成部分とが押し出し成形加工時に既にＬ字状の垂設状態で固定配置されているため、組み立て時の折り曲げ作業負担を折り曲げ部分のみに軽減することができ、しかも、矩形断面状のケーブル収納空間の形態安定性を確実に保持することができる。
【００１５】
さらに、本請求項２に係る発明の折り曲げ式ケーブル類保護案内装置は、請求項１記載の発明が奏する効果に加えて、合成樹脂製テープの外周壁形成部分と左右一対の側壁形成部分とを屈曲移動時にテープ長手方向の所定ピッチで相互に分離拡開する分割スリットが、折り曲げ部分を所定ピッチで横切るとともに左右一対の内周壁形成部分を残して分割するようにパンチング加工により配置されていることにより、パンチング加工のパンチング間隔が適宜選択可能となるため、ケーブル収納空間を形成する屈曲ピッチを簡便に各種変更でき、また、左右一対の内周壁形成部分を残してパンチング加工を施すため、屈曲移動時に左右一対の内周壁形成部分が安定した屈曲軌跡を形成してケーブル類を安定して屈曲移動させることができる。
【００１６】
また、本請求項３に係る発明の折り曲げ式ケーブル類保護案内装置は、請求項２記載の発明が奏する効果に加えて、外周壁形成部分の分割スリットを介した前後位置に直線移動時の横ズレを規制する凹凸係合機構がパンチング加工により設けられていることにより、パンチング加工のパンチング形態が適宜選択可能となるため、凹凸係合機構の凹凸係合形態を簡便に各種変更でき、また、直線移動時に凹凸係合機構が分割スリットを介した前後位置における外周壁形成部分の横ズレを規制して蛇行移動を回避して円滑な直線移動を達成できる。
【００１７】
そして、本請求項４に係る発明の折り曲げ式ケーブル類保護案内装置は、請求項１乃至請求項３のいずれか記載の発明が奏する効果に加えて、折り曲げ部分が折り曲げる内側にテープ長手方向に沿って開口する円弧状溝、あるいは、Ｖ字状溝を備えていることにより、折り曲げ時に反発力を低減するため、矩形断面状のケーブル収納空間を確実に形造ることができる。
【００１８】
さらに、本請求項５に係る発明の折り曲げ式ケーブル類保護案内装置は、請求項１乃至請求項４のいずれか記載の発明が奏する効果に加えて、外周壁形成部分と側壁形成部分と内周壁形成部分とがポリプロピレンから成形されていることにより、押し出し成形加工やパンチング加工が施し易く、折り曲げ部分に対して剛性を発揮してケーブル収納空間の形態安定性を十分に確保することができ、また、折り曲げ部分がポリエステル系またはオレフィン系の熱可塑性エラストマーから成形されていることにより、折り曲げ部分が外周壁形成部分や側壁形成部分や内周壁形成部分よりも相対的に柔軟性を発揮して折り曲げる際に生じる反発力を低減するので、折り曲げ負担を軽減することができる。
【発明を実施するための最良の形態】
【００１９】
本発明の折り曲げ式ケーブル類保護案内装置は、押し出し成形加工された合成樹脂製テープのテープ長手方向に延在する左右一対の折り曲げ部分を介して折り曲げられた矩形断面状のケーブル収納空間内にケーブル類がテープ長手方向に沿って収納されて直線移動と屈曲移動とを繰り返すように構成されていることにより、ケーブル収納空間内に収納しようとするケーブル類が長尺体であっても金型サイズを変更せず、組み立て負担が軽減するように簡便に押し出し成形加工して、直線移動時と屈曲移動時のいずれにおいてケーブル収納空間の形態安定性を十分に確保して円滑な直線移動と屈曲移動を達成するものであれば、その具体的な実施の態様は如何なるものであっても何ら構わない。
【００２０】
まず、本発明の折り曲げ式ケーブル類保護案内装置において合成樹脂製テープに延在させた左右一対の折り曲げ部分の具体的な折り曲げ形態については、外周壁形成部分に対して側壁形成部分が直立するように折り曲げられる形態であれば良く、特に、ケーブル収納空間の内側が円弧状になるような折り曲げ形態の場合は、外周壁形成部分と側壁形成部分との間に生じがちな折り曲げた後の反発力を小さくすることができるのでより好ましい。
【００２１】
そして、本発明の折り曲げ式ケーブル類保護案内装置における凹凸係合機構の具体的な形態については、直線移動時に分割スリットを介した前後位置における外周壁形成部分の横ズレを規制して蛇行移動を回避できる形態であれば良く、例えば、三角舌片状凸部とこの三角舌片状凸部に係合するＶ字状凹部とで構成されるか、台形舌片状凸部とこの台形舌片状凸部に係合する逆台形状凹部とで構成されるか、あるいは、これら以外の凹凸係合部で構成されても良い。
【００２２】
また、本発明の折り曲げ式ケーブル類保護案内装置における外周壁形成部分と側壁形成部分と内周壁形成部分の材質については、ポリエステル系またはオレフィン系の熱可塑性エラストマーから形成される折り曲げ部分よりも剛性の高いポリプロピレンのような材質であれば良いが、外周壁形成部分と側壁形成部分とを同一の材質とし、内周壁形成部分を外周壁形成部分や側壁形成部分よりもやや柔らかい材質とした場合は、屈曲移動時において屈曲部位の反発力を抑制しながら矩形断面状のケーブル収納空間の剛性を大きくすることができる。
【００２３】
なお、本発明で用いる合成樹脂製テープの押し出し成形加工には、折り曲げ部分、外周壁形成部分、側壁形成部分、内周壁形成部分に最適な材質を適用するために、押し出し成形加工時に複数種の合成樹脂を併用することができる多色成形加工を採用することは言うまでもない。
【実施例】
【００２４】
以下、本発明の一実施例である折り曲げ式ケーブル類保護案内装置を図１乃至図７を用いて説明する。
ここで、図１は、本発明の一実施例である折り曲げ式ケーブル類保護案内装置の全体図であり、図２は、図１の直線状態を拡大した斜視図であり、図３は、図１の屈曲状態を拡大した斜視図であり、図４は、図１で用いた合成樹脂製テープの展開図であり、図５は、図４のＡ部分を示す拡大図であり、図６は、図５に示す実施態様の変形例を示す拡大図であり、図７は、図４のＢ部分を示す拡大図である。
【００２５】
本実施例である折り曲げ式ケーブル類保護案内装置は、例えば、半導体製造装置、創薬試験装置、車両用ドア開閉装置、車両用スライドシート、車両用電動サンルーフなどの可動部と静止部とを接続し、電気信号の伝達や供給を行う電気ケーブルや圧力液体や圧力気体を供給するホースのようなケーブル類Ｃを保護案内するために使用されるもので、可動部と静止部（図示しない）との間の相対的な遠隔移動状況に応じて直線姿勢、あるいは、屈曲姿勢を呈することができ、図１乃至図３に示すように、合成樹脂製テープ１００が、テープ長手方向に沿って押し出し成形加工により延在する左右一対の折り曲げ部分１１０を介して折り曲げられた矩形断面状のケーブル収納空間Ｒ内にケーブル類Ｃをテープ長手方向に沿って収納して直線移動と屈曲移動とを繰り返すように構成されている。
【００２６】
すなわち、前述したような合成樹脂製テープ１００は、直線移動時にテープ長手方向で隣接係合するとともに屈曲移動時にテープ長手方向の所定ピッチで相互に分離拡開する外周壁形成部分１２０と、この外周壁形成部分１２０の両側に前述した左右一対の折り曲げ部分１１０、１１０を介して隣接配置されて直線移動時にテープ長手方向で隣接係合するとともに屈曲移動時にテープ長手方向の所定ピッチで相互に分離拡開する左右一対の側壁形成部分１３０、１３０と、これら左右一対の側壁形成部分１３０、１３０に対してＬ字状の垂設状態Ｌでそれぞれ固定配置されて組み立て時にテープ長手方向に沿って相互に重なり合って外周壁形成部分１２０にケーブル収納空間Ｒを介して対向配置される左右一対の内周壁形成部分１４０、１４０とを備えている。
【００２７】
そして、前述した折り曲げ部分１１０は、折り曲げる内側にテープ長手方向に沿って開口する図５に示すような円弧状溝１１１ａ、あるいは、図６に示すようなＶ字状溝１１１ｂなどの折り曲げ歪抑制用開口溝を備えていることにより、折り曲げ時に反発力を低減するため、矩形断面状のケーブル収納空間Ｒを確実に形造っている。
【００２８】
本実施例では、前述した外周壁形成部分１２０と側壁形成部分１３０と内周壁形成部分１４０とがポリプロピレンから成形されており、詳しく後述する押し出し成形加工やパンチング加工が施し易く、折り曲げ部分１１０に対して剛性を発揮してケーブル収納空間Ｒの形態安定性を十分に確保している。
また、折り曲げ部分１１０がポリエステル系またはオレフィン系の熱可塑性エラストマーから成形されており、この折り曲げ部分１１０が外周壁形成部分１２０や側壁形成部分１３０や内周壁形成部分１４０よりも相対的に柔軟性を発揮して折り曲げる際に生じる反発力を低減している。
さらに、図７に示すように、前述したＬ字状の垂設状態Ｌに固定配置された外周壁形成部分１２０と側壁形成部分１３０との接合領域にも、前述した折り曲げ部分１１０と同様に、ポリエステル系またはオレフィン系の熱可塑性エラストマーを採用して、外周壁形成部分１２０や側壁形成部分１３０や内周壁形成部分１４０とともに成形すると、屈曲移動時に外周壁形成部分１２０と側壁形成部分１３０との接合領域に過度の歪みを生じることなく変形して滑らかに屈曲動作することができる。
【００２９】
したがって、前述した押し出し成形加工については、多色成形加工を採用しており、この多色成形加工によって、ポリプロピレンからなる外周壁形成部分１２０と側壁形成部分１３０と、前記外周壁形成部分１２０と側壁形成部分１３０より柔軟なポリプロピレンからなる内周壁形成部分１４０と、ポリエステル系またはオレフィン系の熱可塑性エラストマーからなる折り曲げ部分１１０が成形されている。
【００３０】
また、合成樹脂製テープ１００は、ケーブル収納空間Ｒ内に収納しようとするケーブル類Ｃが長尺体であっても、この長尺体の長さに応じて連続する一体物として裁断加工すれば、足りるようになっている。
【００３１】
さらに、前述したような合成樹脂製テープ１００の外周壁形成部分１２０と左右一対の側壁形成部分１３０、１３０とを屈曲移動時にテープ長手方向の所定ピッチで相互に分離拡開する分割スリット１５０が、前記折り曲げ部分１１０を所定ピッチで横切るとともに左右一対の内周壁形成部分１４０、１４０を残して分割するようにパンチング加工により配置されている。
【００３２】
これにより、合成樹脂製テープ１００は、前述した分割スリット１５０を形成するパンチング加工のパンチング間隔が適宜選択可能となるため、ケーブル収納空間Ｒを形成する屈曲ピッチを簡便に各種変更できるようになっている。
【００３３】
さらに、前述した外周壁形成部分１２０の分割スリット１５０を介した前後位置には、台形舌片状凸部１６１とこの台形舌片状凸部１６１に係合する逆台形状凹部１６２とで構成される凹凸係合機構１６０がパンチング加工により設けられ、このような凹凸係合機構１６０が、直線移動時に分割スリット１５０を介した前後位置における外周壁形成部分１２０の横ズレを規制して蛇行移動を回避しながら円滑な直線移動を達成するようになっている。
【００３４】
前述した側壁形成部分１３０と内周壁形成部分１４０とを折り曲げる折り曲げ部分１１０と前述した分割スリット１５０との交差位置には、ケーブル収納空間Ｒ内へ貫通する円状の開口窓１７０がパンチング加工により設けられている。
この円状の開口窓１７０により、直線移動時と屈曲移動時にケーブル類Ｃの内部移動によって生じがちなケーブル収納空間Ｒの歪み変形を吸収して優れた保形性を確保し、軽量化に寄与するばかりでなく、円状の開口窓１７０を介してケーブル収納空間Ｒ内におけるケーブル類Ｃの収容状態などを適宜観察できるようになっている。
【００３５】
このようにして得られた本実施例の折り曲げ式ケーブル類保護案内装置は、ケーブル収納空間Ｒ内に収納しようとするケーブル類Ｃが長尺体であっても、合成樹脂製テープ１００をこの長尺体の長さに応じて連続する一体物として裁断加工すれば、収納しようとするケーブル類Ｃに見合う最適長さのケーブル収納空間Ｒを簡便に確保して、従来の保護案内チェーンのような多数のリンクプレートを収納しようとするケーブル類Ｃに見合う長さに連結するための多大な組み立て製造負担を回避でき、また、合成樹脂製テープ１００が従来の折畳み可能な保護要素のようなケーブル収納空間Ｒ内に収納しようとするケーブル類Ｃの長さに応じた射出成形又は注型加工における様々な金型サイズを必要とすることなく、長尺体のものであっても押し出し成形加工の金型サイズを変更せずに簡便に製造でき、しかも、合成樹脂製テープ１００が折り曲げ部分１１０を介して簡便に折り曲げられるとともに左右一対の内周壁形成部分１４０、１４０と側壁形成部分１３０、１３０とが押し出し成形加工時に既にＬ字状の垂設状態Ｌで固定配置されているため、矩形断面状のケーブル収納空間Ｒをテープ長手方向に沿って所定寸法どおりに均一かつ確実に組み立てることができ、また、従来のような開閉アームの無い中空一体型ケーブル類保護案内装置では挿通できないコネクター付きケーブル類Ｃであっても、本実施例ではコネクター付きケーブル類Ｃに対して合成樹脂製テープ１００をテープ長手方向に沿って両側から包み込むだけで容易に組み立てができる。
【００３６】
さらに、本実施例の折り曲げ式ケーブル類保護案内装置は、外周壁形成部分１２０と側壁形成部分１３０と内周壁形成部分１４０とがポリプロピレンから成形されていることにより、押し出し成形加工やパンチング加工が施し易く、折り曲げ部分に対して剛性を発揮してケーブル収納空間Ｒの形態安定性を十分に確保することができ、また、折り曲げ部分１１０がポリエステル系またはオレフィン系の熱可塑性エラストマーから成形されていることにより、折り曲げ部分１１０が外周壁形成部分１２０や側壁形成部分１３０や内周壁形成部分１４０よりも相対的に柔軟性を発揮して折り曲げる際に生じる反発力を低減するので、折り曲げ負担を軽減することができるなど、その効果は甚大である。
【図面の簡単な説明】
【００３７】
【図１】本発明の一実施例である折り曲げ式ケーブル類保護案内装置の全体図。
【図２】図１の直線状態を拡大した斜視図。
【図３】図１の屈曲状態を拡大した斜視図。
【図４】図１で用いた合成樹脂製テープの展開図。
【図５】図４のＡ部分を示す拡大図。
【図６】図５に示す実施態様の変形例を示す拡大図。
【図７】図４のＢ部分を示す拡大図。
【符号の説明】
【００３８】
１００  ・・・合成樹脂製テープ
１１０  ・・・折り曲げ部分
１１１ａ・・・円弧状溝
１１１ｂ・・・Ｖ字状溝
１２０  ・・・外周壁形成部分
１３０  ・・・側壁形成部分
１４０  ・・・内周壁形成部分
１５０  ・・・分割スリット
１６０  ・・・凹凸係合機構
１６１  ・・・台形舌片状凸部
１６２  ・・・逆台形状凹部
１７０  ・・・開口窓
Ｃ    ・・・ケーブル類
Ｒ    ・・・ケーブル収納空間
Ｌ    ・・・Ｌ字状の垂設状態
【図１】
2008075726.tif 000003
【図２】
2008075726.tif 000004
【図３】
2008075726.tif 000005
【図４】
2008075726.tif 000006
【図５】
2008075726.tif 000007
【図６】
2008075726.tif 000008
【図７】
2008075726.tif 000009